(57)【要約】      （修正有）【課題】使用者の顔画像に基づいてより美しい眉形状ガイドブロックを表示する眉形状ガイド装置およびその方法を提供する。【解決手段】眉形状ガイド装置は、撮像ユニット１１０、プロセッサ、および表示ユニット１２０を含む。撮像ユニット１１０は、使用者の顔画像を取り込む。プロセッサは、顔画像に基づいて、少なくとも１つの鼻特徴点、少なくとも１つの目特徴点、および少なくとも１つの眉特徴点を取得するとともに、それらの特徴点に基づいて計算を行い、眉ガイドブロックを取得する。表示ユニット１２０は、顔画像および対応する眉ガイドブロックを表示し、眉ガイドブロックに基づいてメイクアップをするよう使用者に案内する。【選択図】図１
2018192230.tif 000002
【特許請求の範囲】
【請求項１】
使用者の顔画像を取り込み、前記顔画像が、少なくとも前記使用者の鼻部分、目部分、および眉部分を含む撮像ユニットと、
前記顔画像を受信し、前記顔画像に基づいて、少なくとも１つの鼻特徴点、少なくとも１つの目特徴点、および少なくとも１つの眉特徴点を取得するとともに、前記少なくとも１つの鼻特徴点、前記少なくとも１つの目特徴点、および前記少なくとも１つの眉特徴点に基づいて計算を行い、眉ガイドブロックを取得するプロセッサと、
前記顔画像および前記対応する眉ガイドブロックを表示し、前記眉ガイドブロックに基づいてメイクアップをするよう前記使用者に案内する表示ユニットと、
を含む眉形状ガイド装置。
【請求項２】
前記顔画像が、第１側顔画像および第２側顔画像を含み、前記第１側顔画像が、第１目および第１眉を含み、
前記少なくとも１つの鼻特徴点が、前記第１目に近い鼻翼に対応する第１特徴点を含み、前記少なくとも１つの目特徴点が、前記鼻の一側から最も遠い前記第１目に対応する第２特徴点を含み、前記少なくとも１つの眉特徴点が、前記第１眉の眉頭に対応する第３特徴点を含み、
前記プロセッサが、前記第１特徴点および前記第２特徴点を通過する第１延伸線と前記第３特徴点の第２水平線の交差点に基づいて、第１基準点を取得し、前記第１基準点が、前記眉ガイドブロックの眉尻表示点として使用され、
前記プロセッサが、前記第１特徴点の第３垂直線と前記第２水平線の交差点に基づいて、第２基準点を取得し、前記第２基準点が、前記眉ガイドブロックの眉頭表示点として使用される請求項１に記載の眉形状ガイド装置。
【請求項３】
前記少なくとも１つの目特徴点が、さらに、前記鼻の一側に最も近い前記第１目に対応する第４特徴点を含み、
前記プロセッサが、所定の比率に基づいて、前記第１基準点と前記第２基準点の間の線分から第３基準点を取得し、
前記第２特徴点および前記第４特徴点に基づいて、前記第１目の中間に位置する第４基準点を取得し、
前記第１特徴点および前記第４基準点を通過する第４延伸線と前記第３基準点の垂直線の間の交差点に基づいて、第５基準点を取得し、前記第５基準点が、前記眉ガイドブロックのピーク表示点として使用される請求項２に記載の眉形状ガイド装置。
【請求項４】
前記所定の比率が、前記第１基準点と前記第３基準点の間の距離と、前記第２基準点と前記第３基準点の間の距離との間の１：２の比率であり、
前記第２特徴点と前記第４基準点の間の距離と、前記第４特徴点と前記第４基準点の間の距離との間の比率が、１：１である請求項３に記載の眉形状ガイド装置。
【請求項５】
前記プロセッサが、前記眉ガイドブロックと前記顔画像の使用者の眉領域を比較して、前記使用者の眉領域によって覆われていない前記眉ガイドブロックの保留ブロックを強調する請求項１に記載の眉形状ガイド装置。
【請求項６】
前記撮像ユニットが、前記使用者の前記顔画像をリアルタイムで取り込んで、前記眉ガイドブロックをすぐに計算するとともに、前記顔画像および前記対応する眉ガイドブロックをリアルタイムで表示する請求項１に記載の眉形状ガイド装置。
【請求項７】
使用者の顔画像を取り込み、前記顔画像が、少なくとも前記使用者の鼻部分、目部分、および眉部分を含むステップと、
前記顔画像に基づいて、少なくとも１つの鼻特徴点、少なくとも１つの目特徴点、および少なくとも１つの眉特徴点を取得するステップと、
前記少なくとも１つの鼻特徴点、前記少なくとも１つの目特徴点、および前記少なくとも１つの眉特徴点に基づいて計算を行い、眉ガイドブロックを取得するステップと、
前記顔画像および前記対応する眉ガイドブロックを表示し、前記眉ガイドブロックに基づいてメイクアップをするよう前記使用者に案内するステップと、
を含む眉形状ガイド方法。
【請求項８】
前記顔画像が、第１側顔画像および第２側顔画像を含み、前記第１側顔画像が、第１目および第１眉を含み、前記少なくとも１つの鼻特徴点が、前記第１目に近い鼻翼に対応する第１特徴点を含み、前記少なくとも１つの目特徴点が、前記鼻の一側から最も遠い前記第１目に対応する第２特徴点を含み、前記少なくとも１つの眉特徴点が、前記第１眉の眉頭に対応する第３特徴点を含み、
前記少なくとも１つの鼻特徴点、前記少なくとも１つの目特徴点、および前記少なくとも１つの眉特徴点に基づいて計算を行い、前記眉ガイドブロックを取得する前記ステップが、
前記第１特徴点および前記第２特徴点を通過する第１延伸線と前記第３特徴点の第２水平線の交差点に基づいて、第１基準点を取得し、前記第１基準点が、前記眉ガイドブロックの眉尻表示点として使用されるステップと、
前記第１特徴点の第３垂直線と前記第２水平線の交差点に基づいて、第２基準点を取得し、前記第２基準点が、前記眉ガイドブロックの眉頭表示点として使用される請求項７に記載の眉形状ガイド方法。
【請求項９】
前記少なくとも１つの目特徴点が、さらに、前記鼻の一側に最も近い前記第１目に対応する第４特徴点を含み、
前記少なくとも１つの鼻特徴点、前記少なくとも１つの目特徴点、および前記少なくとも１つの眉特徴点に基づいて計算を行い、前記眉ガイドブロックを取得する前記ステップが、
所定の比率に基づいて、前記第１基準点と前記第２基準点の間の線分から第３基準点を取得するステップと、
前記第２特徴点および前記第４特徴点に基づいて、前記第１目の中間に位置する第４基準点を取得するステップと、
前記第１特徴点および前記第４基準点を通過する第４延伸線と前記第３基準点の垂直線の間の交差点に基づいて、第５基準点を取得し、前記第５基準点が、前記眉ガイドブロックのピーク表示点として使用される請求項７に記載の眉形状ガイド方法。
【請求項１０】
前記所定の比率が、前記第１基準点と前記第３基準点の間の距離と、前記第２基準点と前記第３基準点の間の距離との間の１：２の比率であり、
前記第２特徴点と前記第４基準点の間の距離と、前記第４特徴点と前記第４基準点の間の距離との間の比率が、１：１である請求項８に記載の眉形状ガイド方法。
【請求項１１】
前記眉ガイドブロックと前記顔画像の使用者の眉領域を比較して、前記使用者の眉領域によって覆われていない前記眉ガイドブロックの保留ブロックを強調する請求項８に記載の眉形状ガイド方法。
【発明の詳細な説明】
【技術分野】
【０００１】
本発明は、顔特徴認識技術に関するものであり、特に、顔の様々な部分の認識に基づく眉形状ガイド装置およびその方法に関するものである。
【背景技術】
【０００２】
美しさへの愛は、女性の本能である。多くの女性は、唇、目、眉などをメイクアップ（makeup）することによって顔特徴を追加し、見た目を整える。しかしながら、メイクアップ技術は、生まれつき備わっているものではなく、何度も練習してからメイクアップ効果を向上させることができる。
【０００３】
メイクアップ技術を学びたければ、インターネット上の画像から学ぶことができる。しかしながら、画像および／または動画から学ぶメイクアップ技術は、実際には差がある。そのため、最新機器を用いていかにしてメイクアップ技術を学ぶかが、製造業者にとって関心のある技術課題である。
【発明の概要】
【発明が解決しようとする課題】
【０００４】
本発明は、使用者の顔画像に基づいてより美しい眉形状ガイドブロックを表示する眉形状ガイド装置および眉形状ガイド方法に関するものであり、使用者は、眉形状ガイド装置によって提供されたプロンプト（prompt）に基づいて、眉の形を整える、あるいは眉にメイクアップをすることができるため、便利な双方向メイクアップ指導を提供することができる。
【課題を解決するための手段】
【０００５】
本発明は、撮像ユニットと、プロセッサと、表示ユニットとを含む眉形状ガイド装置を提供する。撮像ユニットは、使用者の顔画像を取り込み、顔画像は、少なくとも使用者の鼻部分、目部分、および眉部分を含む。プロセッサは、顔画像を受信し、その顔画像に基づいて、少なくとも１つの鼻特徴点、少なくとも１つの目特徴点、および少なくとも１つの眉特徴点を取得するとともに、プロセッサは、少なくとも１つの鼻特徴点、少なくとも１つの目特徴点、および少なくとも１つの眉特徴点に基づいて計算を行い、眉ガイドブロックを取得する。表示ユニットは、顔画像および対応する眉ガイドブロックを表示し、眉ガイドブロックに基づいてメイクアップをするよう使用者に案内する。
【０００６】
本発明は、以下のステップを含む眉形状ガイド方法を提供する。使用者の顔画像を取り込み、顔画像は、少なくとも使用者の鼻部分、目部分、および眉部分を含む。顔画像に基づいて、少なくとも１つの鼻特徴点、少なくとも１つの目特徴点、および少なくとも１つの眉特徴点を取得するとともに、少なくとも１つの鼻特徴点、少なくとも１つの目特徴点、および少なくとも１つの眉特徴点に基づいて計算を行い、眉ガイドブロックを取得する。顔画像および対応する眉ガイドブロックを表示し、眉ガイドブロックに基づいてメイクアップをするよう使用者に案内する。
【発明の効果】
【０００７】
以上のように、本発明の眉形状ガイド装置および眉形状ガイド方法は、使用者の顔画像における鼻、目、および眉の位置に基づいて、眉ガイドブロックを計算および表示することができるため、使用者は、形を整える、または強調する必要のある眉の領域を知ることができ、眉形状を正確に調整することができる。このように、使用者がメイクアップに慣れていなくても、使用者は、眉形状ガイド装置によって提供されたプロンプトに基づいて、眉の形を整える、または眉にメイクアップをすることができるため、便利な双方向メイクアップ指導を提供することができる。
【０００８】
本発明の上記および他の目的、特徴、および利点をより分かり易くするため、図面と併せた幾つかの実施形態を以下に説明する。
【図面の簡単な説明】
【０００９】
添付図面は、本発明の原理がさらに理解されるために含まれており、本明細書に組み込まれかつその一部を構成するものである。図面は、本発明の実施形態を例示しており、説明とともに、本発明の原理を説明する役割を果たしている。
【００１０】
【図１】本発明の１つの実施形態に係る眉形状ガイド装置の表示インターフェースの概略図である。
【図２】本発明の１つの実施形態に係る眉形状のシステムブロック図である。
【図３】本発明の１つの実施形態に係る眉形状ガイド方法を示すフローチャートである。
【図４】本発明の眉ガイドブロックの眉頭表示点および眉尻表示点を計算する概略図である。
【図５】本発明の眉ガイドブロックの眉頭表示点、眉尻表示点、および眉山表示点を計算する概略図である。
【図６】本発明の１つの実施形態に係る眉ガイドブロックの概略図である。
【発明を実施するための形態】
【００１１】
図１は、本発明の１つの実施形態に係る眉形状ガイド装置の表示インターフェースの概略図であり、図２は、本発明の１つの実施形態に係る眉形状のシステムブロック図である。図１および図２を参照すると、本実施形態において、眉形状ガイド装置１００は、撮像ユニット１１０、マルチメディア表示ユニット１２０、およびプロセッサ１３０を含む。
【００１２】
撮像ユニット１１０は、使用者の顔画像を取り込むために使用される。本実施形態は、使用者の顔画像における鼻部分、目部分、および眉部分の位置に基づいて、眉形状の理想の位置を計算するため、使用者の顔画像は、顔の左半分か右半分の鼻部分、目部分、および眉部分を含む必要があり、それにより、左側眉または右側眉の好ましい相対位置を計算する。撮像ユニット１１０は、例えば、内蔵ビデオカメラやカメラ、あるいは外付けの携帯電話やカメラ等であるが、本発明はこれに限定されない。
【００１３】
表示ユニット１２０は、マルチメディア情報および使用者の顔画像をリアルタイムで表示することができる。例えば、表示ユニット１２０は、使用者の顔画像を表示して、使用者が選択できるよう、複数の眉形状および眉カラーの選択肢を提供する。本実施形態において、表示ユニット１２０は、高反射率の材料（例えば、鏡）の後方に配置され、有機発光ダイオード（organic light-emitting diodes, OLED）と結合したディスプレイであってもよい。このようにして、使用者は、鏡を通して自分の顔を見ることができ、表示ユニット１２０は、使用者が見てタッチ選択できるよう、鏡に関連情報を表示することができるが、本発明はこれに限定されない。本実施形態の眉形状ガイド装置１００は、メイク台の上に配置された装置であってもよく、眉形状ガイド装置１００の画面は、鏡の後方に配置されてもよい。その上に表示されるテキストや画像は、使用者が見られるよう、鏡を通過することができる。別の実施形態において、眉形状ガイド装置１００は、スマートフォンやタブレットＰＣ等の消費型電子製品、または携帯型の鏡と結合した携帯型のミラーボックスであってもよい。
【００１４】
プロセッサ１３０は、撮像ユニット１１０によって取り込まれた使用者の顔画像に基づいて計算を行い、使用者の顔に関連する使用者の複数の顔特徴点、例えば、少なくとも１つの鼻特徴点、少なくとも１つの目特徴点、および少なくとも１つの眉特徴点を取得する。また、プロセッサ１３０は、上述した特徴点に基づいて計算を行い、眉ガイドブロックを取得するとともに、使用者の顔画像および眉ガイドブロックを表示ユニット１２０で表示し、眉ガイドブロックに基づいてメイクアップをするよう使用者に案内する。例えば、本実施形態の実施において、プロセッサ１３０は、中央処理装置（central processing unit, CPU）、マイクロプロセッサ（microprocessor）、特定用途向け集積回路（application specific integrated circuits, ASIC）、プログラマブルロジックデバイス（programmable logic device, PLD）、または他の類似する装置であってもよい。プロセッサ１３０は、眉ガイドブロックを提供するために必要な様々なソフトウェアプログラムおよび／または命令セットを実行するよう構成される。本実施形態において、プロセッサ１３０は、Ｄｌｉｂの顔ランドマーク（Dlibface landmark）を使用する顔検出システムを実行し、使用者の顔の１９４個の顔特徴点を検出および分析する。これらの顔特徴点は、それぞれ使用者の顔の各部分、例えば、目、眉、鼻、唇、頬、顎輪郭等を示す。別の場合において、使用者の顔特徴点は、使用者の顔の１１９個のみの顔特徴を分析することによって取得してもよく、または別の顔特徴点アルゴリズムを使用して使用者の顔特徴点を検出することによって取得してもよい。
【００１５】
本実施形態において、使用者が鏡に向かってメイクアップをする時、表示ユニット１２０は、使用者の顔画像を表示して、顔画像における顔特徴点をリアルタイムで分析することができる。眉形状ガイド装置との相互作用を便利にするため、本発明は、さらに、使用者の鼻の両側にある鼻翼、目、および眉等の位置に基づいて、メイクアップをガイドするための眉ガイドブロックを計算し、使用者の顔画像に対応して表示ユニット１２０に眉ガイドブロックを表示することにより、形を整える、またはメイクアップをする必要のある眉の位置を使用者に指示する。また、使用者は、図１に示した表示インターフェースを介して眉ガイドブロックの厚さ、位置、形状を調整することにより、使用者の要求を満たすことができる。このようにして、使用者は、表示ユニット１２０によって表示された眉ガイドブロックのガイダンスに基づいて、使用者の眉の実際の位置にアイブロウペンシルやアイブロウパウダーを用いて眉の形を整える、またはメイクアップをすることができる。言及すべきこととして、眉ガイドブロックは、鼻、目、および眉の位置に基づいて計算された理想の眉の位置に、点線で形成される。しかしながら、眉ガイドブロックを表示する方法は、これに限定されない。別の実施形態において、眉ガイドブロックを表示する方法は、使用者の実際の眉を直接基準として使用して眉表示ブロックを調整し、調整した眉表示ブロックを眉ガイドブロックとして使用する。
【００１６】
図３は、本発明の１つの実施形態に係る眉形状ガイド方法を示すフローチャートである。図４は、本発明の眉ガイドブロックの眉頭表示点および眉尻表示点を計算する概略図である。図５は、本発明の眉ガイドブロックの眉頭表示点、眉尻表示点、および眉山表示点を計算する概略図である。
【００１７】
図１および図３を参照すると、ステップＳ３１０において、撮像ユニット１１０は、まず、使用者の顔画像を取り込み、顔画像は、少なくとも使用者の鼻部分、目部分、および眉部分を含む。ステップＳ３２０において、プロセッサ１３０は、撮像ユニット１１０から顔画像を受信し、顔画像に基づいて、少なくとも１つの鼻特徴点、少なくとも１つの目特徴点、および少なくとも１つの眉特徴点を取得する。本実施形態において、顔画像は、第１側顔画像（例えば、右側顔画像）および第２側顔画像（左側顔画像）を含み、プロセッサ１３０は、撮像ユニット１１０を介して２つの側のうちの１つの顔画像を取得して、対応する眉ガイドブロックを計算することができる。
【００１８】
ステップＳ３３０において、プロセッサ１３０は、ステップＳ３２０で取得した少なくとも１つの鼻特徴点、少なくとも１つの目特徴点、および少なくとも１つの眉特徴点に基づいて計算を行い、眉ガイドブロックを取得する。図４は、図５のステップＳ３３０に対応する概略図である。図４を参照し、使用者の右側顔画像（第１側顔画像）を例に挙げて説明すると、言及すべきこととして、図４および図５は、使用者の右側顔画像のみを示し、右側顔画像の眉ガイドブロックの計算方法について説明しているが、当業者であれば、同様の方法に基づいて、左側顔画像の眉ガイドブロックの計算方法も推測することができる。
【００１９】
図４において、右側顔画像４００は、右目（第１目）Ｅ１、右眉（第１眉）ＥＲ１、および鼻ＮＥ１を含む。ステップＳ３２０において、プロセッサ１３０は、第１目Ｅ１に近い鼻翼に対応する第１特徴点ＮＦ１を少なくとも１つの鼻特徴点（例えば、「Ｄｌｉｂの顔ランドマーク」における第４５顔特徴点）のうちの１つとして使用し；鼻ＮＥ１の一側から最も遠い第１目Ｅ１に対応する第２特徴点ＮＦ２を少なくとも１つの目特徴点（例えば、「Ｄｌｉｂの顔ランドマーク」における第１４４顔特徴点）として使用し；鼻ＮＥ１の一側に最も近い第１目Ｅ１に対応する第４特徴点ＮＦ４を少なくとも１つの目特徴点（例えば、「Ｄｌｉｂの顔ランドマーク」における第１３４顔特徴点）として使用し；第１眉ＥＲ１の眉頭に対応する第３特徴点ＮＦ３を少なくとも１つの眉特徴点（例えば、「Ｄｌｉｂの顔ランドマーク」における第１７４顔特徴点）として使用する。
【００２０】
プロセッサ１３０は、第１特徴点ＮＦ１（鼻ＮＥ１の鼻翼終点）および第２特徴点ＮＦ２（鼻ＮＥ１の一側から最も遠い第１目Ｅ１の終点）を通過する第１延伸線Ｌ１と第３特徴点ＮＦ３（第１眉ＥＲ１の眉頭終点）の第２水平線Ｌ２の交差点に基づいて、第１基準点ＮＲ１を取得する。第１基準点ＮＲ１は、眉ガイドブロックの眉尻表示点として使用される。
【００２１】
プロセッサ１３０は、第１特徴点ＮＦ１（鼻ＮＥ１の鼻翼終点）の第３垂直線Ｌ３と第３特徴点ＮＦ３（第１眉ＥＲ１の眉頭終点）の第２水平線Ｌ２の交差点に基づいて、第２基準点ＮＲ２を取得する。第２基準点ＮＲ２は、眉ガイドブロックの眉頭表示点として使用される。
【００２２】
上記の計算方法に基づいて眉ガイドブロックの眉頭表示点および眉尻表示点を取得した後、眉ガイドブロックのピーク表示点を見つける必要がある。図５を参照すると、プロセッサ１３０は、所定の比率に基づいて、第１基準点ＮＲ１（眉尻表示点）と第２基準点ＮＲ２（眉頭表示点）の間の線分（line segment）から第３基準点ＮＲ３を取得する。本実施形態の所定の比率は、第１基準点ＮＲ１（眉尻表示点）と第３基準点ＮＲ３の間の距離と、第２基準点ＮＲ２（眉頭表示点）と第３基準点ＮＲ３の間の距離との間の比率であり、その比率は、１：２である。当業者であれば、実際の要求に応じて所定の比率を調整し、眉ピークの相対位置を調整することができる。プロセッサ１３０は、さらに、第２特徴点ＮＦ２（鼻ＮＥ１の一側から一番遠い第１目Ｅ１の終点）および第４特徴点ＮＦ４（鼻ＮＥ１の一側から一番近い第１目Ｅ１の終点）に基づいて、第４基準点ＮＲ４（第１目Ｅ１の中間に位置する）を取得する。つまり、第２特徴点ＮＦ２と第４基準点ＮＲ４の間の距離と、第４特徴点ＮＦ４と第４基準点ＮＲ４の間の距離との間の比率は、１：１である。そして、プロセッサ１３０は、第１特徴点ＮＦ１（鼻ＮＥ１の鼻翼終点）および第４基準点ＮＲ４（第１目Ｅ１の中間に位置する）を通過する第４延伸線Ｌ４と第３基準点ＮＲ３の第５垂直線Ｌ５の交差点に基づいて、第５基準点ＮＲ５を取得する。第５基準点ＮＲ５は、眉ガイドブロックの眉ピーク表示点として使用される。このようにして、プロセッサ１３０は、眉頭表示点（第２基準点ＮＲ２）、眉尻表示点（第１基準点ＮＲ１）、およびピーク表示点（第５基準点ＮＲ５）に基づいて、眉ガイドブロックを取得することができる。
【００２３】
図６は、本発明の１つの実施形態に係る眉ガイドブロックの概略図である。図６は、本実施形態を説明しやすいよう、使用者の右側顔画像の目と眉を拡大してある。図３および図６を参照すると、ステップＳ３４０において、プロセッサ１３０は、顔画像（例えば、右側顔画像４００）および対応する眉ガイドブロック６００を表示するよう表示ユニット１２０を制御し、眉ガイドブロック６００に基づいてメイクアップをするよう使用者に案内する。本実施形態を説明するため、図６の眉ガイドブロック６００と実際の第１眉ＥＲ１には大きな差があり、眉ガイドブロック６００は、破線で示してある。本実施形態において、図１のプロセッサ１３０は、さらに、眉ガイドブロック６００と顔画像４００の実際の眉領域ＥＲ１（実線のブロックで示す）を比較することができ、実際の眉領域ＥＲ１によって覆われていない眉ガイドブロック６００の保留ブロック（例えば、ブロック６１０）を強調する。このようにして、使用者は、保留ブロック（ブロック６１０）をアイブロウペンシル（eyebrow pencil）で描く必要があること、そして、おそらく眉ガイドブロック６００の外側にある実際の眉領域ＥＲ１を剃って形を整える必要があることを知ることができる。また、当業者であれば、図３〜図６の説明に基づいて、使用者の別の半分（左側）の眉ガイドブロックを計算および表示する方法、例えば、左側の鼻翼、目、および眉頭の位置に基づいて、左側の眉ガイドブロックを計算する方法を知ることができるため、ここでは繰り返し説明しない。本実施形態において、顔画像の左側と右側の眉ガイドブロックは、表示ユニット１２０に同時に表示することができ、図２の撮像ユニット１１０は、使用者の顔画像をリアルタイムで取り込んで、左側と右側の眉ガイドブロックをすぐに計算することができ、表示ユニット１２０は、顔画像および対応する眉ガイドブロックをリアルタイムで表示することができる。
【００２４】
本発明の眉形状ガイド方法は、使用者の選択、例えば、一文字眉、三角眉、柳葉眉、秋波眉等の眉の形状に基づいて、眉ガイドブロックのパターンを調整することができる。あるいは、使用者は、図１に示した表示ユニット１２０で眉の色と形を選択し、それを表示ユニット１２０でプレビューしてもよい。別の実施形態において、プロセッサ１３０は、使用者が選択した色と形に基づいて、眉ガイドブロック６００を微調整して、それを表示ユニット１２０で表示してもよい。
【００２５】
以上のように、本発明の眉形状ガイド装置および眉形状ガイド方法は、使用者の顔画像における鼻、目、および眉の位置に基づいて、眉ガイドブロックを計算および表示することができるため、使用者は、形を整える、または強調する必要のある眉の領域を知ることができ、眉形状を正確に調整することができる。このように、使用者がメイクアップに慣れていなくても、使用者は、眉形状ガイド装置によって提供されたプロンプトに基づいて、眉の形を整える、または眉にメイクアップをすることができるため、便利な双方向メイクアップ指導を提供することができる。
【００２６】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００２７】
本発明の眉形状ガイド装置および眉形状ガイド方法は、携帯機器、消費型電子機器、またはソフトウェアに適用して、眉形状ガイド方法を実行することができる。
【符号の説明】
【００２８】
１００  眉形状ガイド装置
１１０  撮像ユニット
１２０  表示ユニット
１３０  プロセッサ
Ｓ３１０〜Ｓ３４０  眉形状ガイド方法のステップ
４００  右側顔画像／第１側顔画像
６００  眉ガイドブロック
６１０  実際の眉領域で覆われていない眉ガイドブロック内の保留ブロック
Ｅ１  右目／第１目
ＥＲ１  右眉／第１眉
ＮＥ１  鼻
ＮＦ１〜ＮＦ４  特徴点
ＮＲ１〜ＮＲ５  基準点
Ｌ１  第１特徴点と第２特徴点を通過する第１延伸線
Ｌ２  第３特徴点の第２水平線
Ｌ３  第１特徴点の第３垂直線
Ｌ４  第１特徴点と第４基準点を通過する第４延伸線
Ｌ５  第３基準点の第５垂直線
【図１】
2018192230.tif 000003
【図２】
2018192230.tif 000004
【図３】
2018192230.tif 000005
【図４】
2018192230.tif 000006
【図５】
2018192230.tif 000007
【図６】
2018192230.tif 000008
【外国語明細書】
2018192230000001.pdf